(57)【要約】      （修正有）【課題】スキャナ等に使用する線型光源用の光源モジュールを提供する。【解決手段】光源モジュール１は、殻体１０、導光棒２０、発光アセンブリ３０、放熱反射カバー４０を含む。殻体は、収容室１１及び収容室と相通する透光開口１２を有し、導光棒は、出光面２１及び出光面と相反する透射面２２を設える。導光棒は、収容室内に安置され、出光面を透光開口に向かせ、発光アセンブリ３０は、導光棒の一側に設置され、導光棒の内部に向けて光線を発射し、放熱反射カバーは、殻体を組み付け、導光棒の透射面を覆い、放熱反射カバーの内部に反射面を有し、透射面を貫通する光線を出光面に向けて反射し、再度透光開口から射出することに用いる。【選択図】図１
0003170579.tif 000002
【実用新案登録請求の範囲】
【請求項１】
収容室及び該収容室と相通する透光開口を有する殻体と、
出光面及び該出光面と相反する透射面を有し、該収容室内に安置され、該出光面を該透光開口に向かせる導光棒と、
該導光棒の一側に設置され、該導光棒の内部に向けて光線を発射する発光アセンブリと、
該殻体を組み付け、該導光棒の該透射面を覆う放熱反射カバーであって、該放熱反射カバーの内部に反射面を有し、該透射面を貫通する光線を該出光面に向けて反射し、再度該透光開口から射出することに用いる該放熱反射カバーと、
を含む光源モジュール。
【請求項２】
前記放熱反射カバーは、底板及び該底板二側に位置する２つの側面板を含み、各該側面板が少なくとも１つの嵌合孔を有し、該殻体は、該嵌合孔と相互に嵌合固定する少なくとも１つのフックを設ける請求項１に記載の光源モジュール。
【請求項３】
前記反射面は、該底板上に形成され、該導光棒の該透射面に近隣する請求項２に記載の光源モジュール。
【請求項４】
前記放熱反射カバーの一端は、該発光アセンブリの位置に対応し、該発光アセンブリを固定する取り付け板を設ける請求項３に記載の光源モジュール。
【請求項５】
前記透光開口の形状は、細長形を呈し、且つ該殻体の縦向き軸線に平行である請求項４に記載の光源モジュール。
【請求項６】
前記導光棒は、多辺形の柱体であり、該収容室の輪郭が該導光棒の輪郭に対応して取り付けに適合する請求項５に記載の光源モジュール。
【請求項７】
更に、増光片を含み、該増光片は、該導光棒の該出光面上に貼付される請求項６に記載の光源モジュール。
【請求項８】
前記発光アセンブリは、回路板及び該回路板上に敷設される複数の発光部材を含む請求項７に記載の光源モジュール。
【請求項９】
前記発光部材は、発光ダイオードである請求項８に記載の光源モジュール。
【請求項１０】
前記放熱反射カバーは、高伝導放熱部材である請求項１に記載の光源モジュール。
【考案の詳細な説明】
【技術分野】
【０００１】
本考案は、光源モジュールに関し、特に、導光棒を有する光源モジュールに関する。
【背景技術】
【０００２】
科学技術の急速な進歩に伴い、多くの光源モジュールが徐々に開発され、特に、プリンタ、スキャナ及び多機能事務機器等の事務設備において、線形的な照明範囲を作り出すため、しばしば線形光源モジュールを設置する必要がある。
従来の線形光源モジュールは、正方向照射式であるが、線形照明範囲全体内に多くの発光部材を設置する必要があるので、総コストが高くなっている。また、正方向照射式の光源モジュールの厚さは、減縮できる範囲が有限であり、薄型化の趨勢に適合することが実に困難である。
【０００３】
従って、業者は、側面方向照射式の光源モジュールを開発し、発光部材を導光棒の側面に配置し、発光部材が発する光線を導光棒の一側から照らし込み、これにより、発光部材の長さを減少し、導光棒を利用し、光均一化の効果を達成する。また、発光部材は、導光棒の側面方向の配置方式は、薄型化の要求に適合することができる。
【０００４】
台湾発明特許第Ｉ３０７７５７号(特許文献１)は、「光線射出角度を任意に変更可能な線形光源」を開示しており、この構造において、別途、放熱部材及び放熱部材を発光部材上に固定することに用いるフック具を取り付ける必要があり、そうして初めて発光部材が発生する熱量を外部に散逸することができ、その部品数量が多くなり、且つ組み立て及び製造が比較的面倒である。
従って、上記の問題点を如何に解決するかは、本考案者が改良の目標とするところである。
【先行技術文献】
【特許文献】
【０００５】
【特許文献１】台湾発明特許第Ｉ３０７７５７号
【考案の概要】
【考案が解決しようとする課題】
【０００６】
本考案の目的は、構造が簡単で、コストが低く、且つ放熱効果が良好な光源モジュールを提供することにある。
【課題を解決するための手段】
【０００７】
上記の目的を達成する為、本考案が提供する光源モジュールは、
収容室及び該収容室と相通する透光開口を有する殻体と、
出光面及び該出光面と相反する透射面を有し、該収容室内に安置され、該出光面を該透光開口に向かせる導光棒と、
該導光棒の一側に設置され、該導光棒の内部に向けて光線を発射する発光アセンブリと、
該殻体を組み付け、該導光棒の該透射面を覆う放熱反射カバーであって、該放熱反射カバーの内部に反射面を有し、該透射面を貫通する光線を該出光面に向けて反射し、再度該透光開口から射出することに用いる該放熱反射カバーとを含む光源モジュールである。
【考案の効果】
【０００８】
本考案は、先行技術に比較し以下の効果を有する。
本考案の光源モジュールによれば、殻体、導光棒、発光アセンブリ及び放熱反射カバーを含み、殻体がフック設置可能であり、放熱反射カバーが放熱効果を有するので、放熱部材及びフック具を設置する必要がなく、大きな面積の放熱反射カバーを利用し、直接、放熱及び光線反射の二重の効果を達成する。従って、その構造が簡単で、製造及び組み立てが容易であり、コストを低減することができる。
【０００９】
本考案により、放熱反射カバー全体が発光アセンブリに対し放熱を行うことにより、その放熱面積が大きく、効率的に迅速に放熱することができ、発光部材（例えば、ＬＥＤ）の発光効率を向上することができる。
【図面の簡単な説明】
【００１０】
【図１】本考案の分解立体図である。
【図２】本考案のもう１つの分解立体図である。
【図３】本考案の組み合わせ立体図である。
【図４】本考案の組み合わせ断面図である。
【図５】本考案の操作原理を示す断面説明図である。
【考案を実施するための形態】
【００１１】
本考案の詳細な説明及び技術内容について、図面に合わせて以下に説明するが、図面は、説明の用途とするだけであり、本考案を制限することに用いるのではない。
【００１２】
図１〜図４を参考にし、本考案が提供する光源モジュール１は、殻体１０と、導光棒２０と、発光アセンブリ３０と、放熱反射カバー４０と、を含む。
【００１３】
殻体１０は、収容室１１及び該収容室１１と相通する透光開口１２を有し、図１に示すような実施例において、透光開口１２の形状は、細長形を呈し、且つ殻体１０の縦向き軸線に平行であり、該殻体１０の内壁は、反射効果を有するように製造される。
【００１４】
導光棒２０は、出光面２１及び該出光面２１と相反する透射面２２を有し、導光棒２０は、収容室１１に安置され、出光面２１を透光開口１２に向かせる。導光棒２０は、多辺形の柱体であり、収容室１１の輪郭は、導光棒２０の輪郭に対応し、取り付けに有利であり、図１に示す実施例において、導光棒２０は、五角形の柱体であり、導光棒２０の材質は、透光材質、例えば、ガラス又は透光プラスチック材質で形成される。また、選択的に、導光棒２０の出光面２１上に増光片５０を貼付し、光均一度を向上することができ、この増光片５０の材質は、透明プラスチック材質である。
【００１５】
発光アセンブリ３０は、導光棒２０の一側に設置され、導光棒２０の内部に向けて光線を発射し、発光アセンブリ３０は、回路板３１及び該回路板３１上に敷設する複数の発光部材３２を含み、該発光部材３２は、可視光スペクトル範囲内の任意の色の発光ダイオード（ＬＥＤ）又は可視光スペクトルに近い例えば赤外線又は紫外線の光源から選択することができ、例えば、発光ダイオードは、緑色、黄色、青色、赤色、白色等であることができ、発光アセンブリ３０に比較的大きな範囲及び光量の投射の効果を持たせる。また、回路板３１上にプラグ３３を電気接続し、外部電力に入力させることができる。
【００１６】
放熱反射カバー４０は、高伝導放熱材質から形成され、特に、アルミ材等の金属で形成され、それは、好適な熱伝導性及び放熱性を有する。放熱反射カバー４０は、該殻体１０を組み付け、該導光棒２０の該透射面２２を覆い、放熱反射カバー４０は、底板４１及び該底板４１二側に位置する２つの側面板４２から構成され、各該側面板４２上に少なくとも１つの嵌合孔４２１を開設する。
殻体１０上は、該嵌合孔４２１と相互に嵌合固定するフック１３を対応設置し、放熱反射カバー４０を殻体１０と安定して相互に嵌合させ、導光棒２０を二者の間に収容することができる。
【００１７】
底板４１は、反射面４１１を形成し、それは、導光棒２０の透射面２２に近隣し、導光棒２０の透射面２２を貫通する光線を該出光面２１に向けて反射し、透光開口１２から射出することに用い、光線反射の性能を強化し、光射出の輝度及び光線の利用率を増加する。
【００１８】
発光アセンブリ３０は、導光棒２０の一側に設置されるので、放熱反射カバー４０の一端が該発光アセンブリ３０の位置に対応し、取り付け板４３を設け、発光アセンブリ３０をその上に固定させる。
【００１９】
図５を参考にし、発光部材３２が導光棒２０の一側から光線を発する時、発光部材３２が発する光線中、一部分が直接透光開口１２から射出し、残りの部分は、放熱反射カバー４０の底板４１上の反射面４１１(図１参照)により透光開口１２に反射される。また、発光部材３２が発生する熱量は、放熱反射カバー４０から外部に散逸される。
【００２０】
先行技術に比較し、本考案は、以下の効果を有する。
本考案に基づき、光源モジュール１が、ただ殻体１０、導光棒２０、発光アセンブリ３０及び放熱反射カバー４０を含み、殻体がフック設置可能であり、放熱反射カバーが放熱効果を有するので、放放熱部材及びフック具を設置する必要がなく、大きな面積の放熱反射カバー４０を直接利用し、放熱及び光線反射の二重の効果を達成する。従って、その構造が簡単で、製造及び組み立てが容易であり、コストを低減することができる。
【００２１】
本考案により、放熱反射カバー４０全体が発光アセンブリ３０に対し放熱を行うことにより、その放熱面積が大きく、効率的に迅速に放熱することができ、発光部材３２の発光効率を向上することができる。
【００２２】
上記のように、本考案の「光源モジュール」は、産業上の利用性、新規性及び進歩性を有し、本考案の構造は、同類製品に見られず、公開使用されていない。
【符号の説明】
【００２３】
１  光源モジュール
１０  殻体
１１  収容室
１２  透光開口
１３  フック
２０  導光棒
２１  出光面
２２  透射面
３０  発光アセンブリ
３１  回路板
３２  発光部材
４０  放熱反射カバー
４１  底板
４１１  反射面
４２  側面板
４２１  嵌合孔
４３  取り付け板
５０  増光片
【図１】
0003170579.tif 000003
【図２】
0003170579.tif 000004
【図３】
0003170579.tif 000005
【図４】
0003170579.tif 000006
【図５】
0003170579.tif 000007